(57)【要約】【課題】  水位が比較的低く設定されて循環水路の上方より吐出される洗濯水の水位が低い場合でも、吐出口からの洗濯水を衣類に均一に振り掛けるようにし、洗いむらを低減して洗浄性能を向上することができる洗濯機を実現する。【解決手段】  洗濯槽１の底部に回転自在に配設したパルセータ２と、パルセータ２の裏面側に形成したポンプ室１４と、ポンプ室１４から洗濯槽１の側壁上方に向かって送水する循環水路１２を構成し、循環水路１２は、洗濯槽１内に向け散水する複数箇所の開口部２１を形設した案内壁部１１とを備え、案内壁部１１は送水壁２２を内設し、この送水壁２２は胴部途中より循環水路１２内の上方に徐々に狭くなる傾斜部２３と開口部の幅で上方の延長するストレート部２４とから成る構成としたものである。【選択図】  図１
2005065999.tif 000002
【特許請求の範囲】
【請求項１】
洗濯槽と、前記洗濯槽の底部に回転自在に配設したパルセータと、前記パルセータの裏面側に形成したポンプ室と、前記ポンプ室から前記洗濯槽の側壁上方に向かって送水する循環水路を構成し前記洗濯槽中央に向け散水すべく少なくとも複数箇所の開口部を形設した案内壁部とを備え、前記案内壁部は送水壁を内設し、この送水壁は、胴部途中より前記循環水路内の上方に徐々に狭くなる第１の傾斜部と、前記開口部の幅で上方へ延長するストレート部とから成る構成とした洗濯機。
【請求項２】
ストレート部は、開口部の両端において切欠き部を有する構成とした請求項１に記載の洗濯機。
【請求項３】
案内壁部の上端の開口部は、他の開口部より幅広くし、送水壁は、胴部途中より前記循環水路内の上方に徐々に狭くなる第１の傾斜部と、前記開口部の幅で上方へ延長するストレート部と、前記ストレート部の上部より前記案内壁部の上端の開口部両端近傍まで徐々に広くなる第２の傾斜部とから成る構成とした請求項１または２に記載の洗濯機。
【発明の詳細な説明】
【技術分野】
【０００１】
本発明は、洗濯槽内に設けた循環水路を利用して、洗濯槽上部より洗濯水を衣類に掛けながら洗浄する洗濯機に関するものである。
【背景技術】
【０００２】
従来、この種の洗濯機は図５に示すように構成していた（例えば、特許文献１参照）。  
【０００３】
以下、その構成について説明する。
【０００４】
図５は、特許文献１に記載された従来の洗濯機を示すものである。図５に示すように、洗濯槽１は底面にパルセータ２を回転自在に配設し、底面の裏面には取り付け用のフランジ３を取り付けている。洗濯槽１の上部には液体を内封した流体バランサ４を固着している。水槽５は、洗濯槽１を内包し、外底部に基板６を取り付けるとともに、この基板６に駆動機構部７を介してパルセータ２を駆動するモータ８を配設している。また、水槽５は外枠９の上部角隅よりサスペンション１０を介して防振支持している。
【０００５】
洗濯槽１の内側面に、上方に開口した案内壁部１１に内包された循環水路１２を配設しており、パルセータ２の回転により、パルセータ２裏面の洗濯水がパルセータ２の裏羽根１３の外周に形成したポンプ室１４から循環水路１２を通って循環水路１２上部に設けた吐出口１５より、洗濯槽１内に吐出する構成をとっている。
【特許文献１】特開平１０−０３３８３３号公報
【発明の開示】
【発明が解決しようとする課題】
【０００６】
しかしながら、従来の構成では循環水路１２の上部の吐出口１５から吐出する洗濯水の量は、衣類の種類や量の程度による洗濯槽１内の衣類の動きの大小、吐出口１５と水面との位置関係、吐出口１５の形状に大きく影響され、常時むらなく均一に洗濯槽１内の衣類に洗濯水を振り掛けることができず、洗剤を含む洗濯水、泡などを洗濯槽１外へ飛散させたり、洗いむらを大きくさせてしまうといった不具合を有していた。
【０００７】
本発明は、前記従来の課題を解決するもので、水位が比較的低く設定されて循環水路の上方より吐出される洗濯水の水位が低い場合でも、吐出口からの洗濯水を衣類に均一に振り掛けるようにし、洗いむらを低減して洗浄性能を向上することを目的とする。
【課題を解決するための手段】
【０００８】
前記従来の課題を解決するために、本発明の洗濯機は、洗濯槽と、前記洗濯槽の底部に回転自在に配設したパルセータと、前記パルセータの裏面側に形成したポンプ室と、前記ポンプ室から前記洗濯槽の側壁上方に向かって送水する循環水路を構成し前記洗濯槽中央に向け散水すべく少なくとも複数箇所の開口部を形設した案内壁部とを備え、前記案内壁部は送水壁を内設し、この送水壁は、胴部途中より前記循環水路内の上方に徐々に狭くなる第１の傾斜部と、前記開口部の幅で上方へ延長するストレート部とから成る構成としたものである。
【０００９】
これにより、水位が比較的低く設定されて循環水路の上方より吐出される洗濯水の水位が低い場合でも、吐出口からの洗濯水を衣類に均一に振り掛けるようにできるので、洗いむらを低減して洗浄性能を向上するものである。
【発明の効果】
【００１０】
本発明の洗濯機は、水位が比較的低く設定されて循環水路の上方より吐出される洗濯水の水位が低い場合でも、吐出口からの洗濯水を衣類に均一に振り掛けるようにし、洗いむらを低減して洗浄性能を向上することができる。
【発明を実施するための最良の形態】
【００１１】
第１の発明は、洗濯槽と、前記洗濯槽の底部に回転自在に配設したパルセータと、前記パルセータの裏面側に形成したポンプ室と、前記ポンプ室から前記洗濯槽の側壁上方に向かって送水する循環水路を構成し前記洗濯槽中央に向け散水すべく少なくとも複数箇所の開口部を形設した案内壁部とを備え、前記案内壁部は送水壁を内設し、この送水壁は、胴部途中より前記循環水路内の上方に徐々に狭くなる第１の傾斜部と、前記開口部の幅で上方へ延長するストレート部とから成る構成とすることにより、水位が比較的低く設定されて循環水路の上方より吐出される洗濯水の水位が低い場合でも、吐出口からの洗濯水を衣類に均一に振り掛けるようにできるので、洗いむらを低減して洗浄性能を向上することができる。
【００１２】
第２の発明は、第１の発明の洗濯機において、ストレート部が、開口部の両端において切欠き部を有する構成としたことにより、洗濯水を広角に吐出することができるため、かさばる衣類を多く洗う場合などの衣類の動きの大小にかかわらず、洗濯槽の内周一端よりパルセータの反転毎に広範囲にわたって、むらなく洗濯槽内の衣類に洗濯水を振り掛けることができるので、吐出した洗濯水が衣類に掛る部分と掛らない部分の発生を防止することができ、洗いむらの発生を防止することができる。
【００１３】
第３の発明は、第１または第２の発明の洗濯機において、案内壁部の上端の開口部は、他の開口部より幅広くし、送水壁は、胴部途中より前記循環水路内の上方に徐々に狭くなる第１の傾斜部と、前記開口部の幅で上方へ延長するストレート部と、前記ストレート部の上部より前記案内壁部の上端の開口部両端近傍まで徐々に広くなる第２の傾斜部とから成る構成としたことにより、上端の開口部より洗濯水が広角に吐出されるため、かさばる衣類を多く洗う場合などの衣類の動きの大小にかかわらず、洗濯槽の内周一端よりパルセータの反転毎に広範囲にわたって、むらなく洗濯槽内の衣類に洗濯水を振り掛けることができるので、吐出した洗濯水が衣類に掛る部分と掛らない部分の発生を防止することができ、洗いむらの発生を防止することができる。
【００１４】
以下、本発明の実施の形態について、図面を参照しながら説明する。なお、この実施の形態によって本発明が限定されるものではない。また、従来と同一の構造については、同一の符号を付し、説明を省略する。
【００１５】
（実施の形態１）
図１は本発明の実施の形態１における洗濯機の側断面図、図２は洗濯行程の動作タイムチャート、図３（ａ）は洗濯槽の部分図、図３（ｂ）は循環水路の裏面図、図４は開口部近傍の断面図である。図１において、排水弁１６は水槽５内の洗濯水を排水し、給水弁１７は洗濯槽１内に給水するものである。制御装置１８は、モータ８、排水弁１６、給水弁１７などを制御して、洗濯、すすぎ、脱水の一連の行程を逐次制御するものである。
【００１６】
洗濯槽１の側面部に、パルセータ２の裏羽根１３の外周に形成したポンプ室１４から流体バランサ４の近傍まで循環水路１２を形成しており、この循環水路１２に、パルセータ２の裏羽根１３によるポンプアップ作用により洗濯水を洗濯槽１の上部より吐出する第１の吐出口２０（開口部）と、この第１の吐出口２０よりも下方に位置する複数の吐出口２１（開口部）とを設けている。
【００１７】
上記構成において動作を説明すると、図２に示すように、制御装置１８は、洗濯槽１内に投入された洗濯物の所定水位ａの約１／２ａの水位まで給水弁１７を動作させ給水し、水位検知手段１９により検知した水位が１／２ａに達した時点で給水弁１７の動作を停止する。そのときの洗濯水の洗剤濃度は、所定水位での洗剤濃度の約２倍の洗剤濃度となる。この高洗剤濃度の洗濯水で、所定時間（ｔ１）まで、モータ８を駆動し、パルセータ２により洗濯物を撹拌する。その後、給水弁１７を再び動作させ、所定水位まで給水した後、所定の洗剤濃度（標準洗剤濃度）で洗濯物を撹拌する行程を行う。
【００１８】
このとき、洗濯兼脱水槽１内の水位が所定水位ａの１／２の水位（１／２ａ）のように低いときは、パルセータ２の回転によりパルセータ２の裏面の水は循環水路１２を通り上方へと上昇するが、水位面（１／２ａ）に対し第１の吐出口２０は、はるかに高い位置にあるため、第１の吐出口２０から吐出する循環水の量は少なく、ときには循環水を吐出できない場合がある。しかしながら、第１の吐出口２０より下方に複数の吐出口２１を設けているので、これら複数の吐出口２１より循環水を吐出することができる。
【００１９】
ここで、複数の吐出口２１が存在することにより水圧が減少し洗濯水が吐出しにくくなるが、図３に示すように、循環水路１２内に設けた送水壁２２は途中より循環水路内の上方に徐々に狭くなる第１の傾斜部２３と開口部の幅で上方の延長するストレート部２４とから成る構成としている。これにより、循環水路１２内の水の上昇の圧力を上げることができ、下方にもうけた複数の吐出口２１からの吐出圧を上げることができる。したがって、水位が低く設定されて循環水路１２の上方より吐出される洗濯水の水位が低い場合でも、下方にもうけた複数の吐出口２１から吐出する洗濯水の吐出圧を確保することができるので、洗濯水を衣類に均一に振り掛けるようでき、洗いむらを低減して洗浄性能を向上することができる。
【００２０】
また、吐出口２１の両端部において、ストレート部２４には吐出口２１の高さ方向の幅の分だけ切欠き部２５を設けている。
【００２１】
これにより、吐出口２１から吐出する洗濯水が、切欠き２５をつたって広角に吐出されるため、かさばる衣類を多く洗う場合などの衣類の動きの大小にかかわらず、洗濯槽の内周一端よりパルセータ２の反転毎に広範囲にわたって、むらなく洗濯槽内の衣類に洗濯水を振り掛けることができるので、吐出した洗濯水が衣類に掛る部分と掛らない部分の発生を防止することができ、さらに洗いむらの発生を低減して洗浄性能を向上することができる。
【００２２】
さらに、案内壁部１１の上端の吐出口２０は、他の複数の吐出口２１より幅広くし、送水壁２２は、胴部途中より前記循環水路１２内の上方に徐々に狭くなる第１の傾斜部２３と、複数の吐出口２１の幅で上方へ延長するストレート部２４と、ストレート部２４の上部より案内壁部の上端の吐出口２０両端近傍まで徐々に広くなる第２の傾斜部２６とを設けている。
【００２３】
これにより、水位が高水位のときは、吐出口２０からの洗濯水の吐出範囲を横方向に広げることができるため、水面上に浮上する衣類に対しても広く一様に洗濯水をかけることができ、洗浄むらを低減し、洗浄性能を向上することができる。
【産業上の利用可能性】
【００２４】
以上のように、本発明にかかる洗濯機は、水位が比較的低く設定されて循環水路の上方より吐出される洗濯水の水位が低い場合でも、吐出口からの洗濯水を衣類に均一に振り掛けるようにし、洗いむらを低減して洗浄性能を向上することが可能となるので、洗濯槽内に設けた循環水路を利用して、洗濯槽上部より洗濯水を衣類に掛けながら洗浄する洗濯機等として有用である。
【図面の簡単な説明】
【００２５】
【図１】本発明の実施の形態１の洗濯機の側断面図
【図２】同洗濯機の洗濯行程の動作タイムチャート
【図３】（ａ）同洗濯機の洗濯槽の部分図（ｂ）同洗濯機の循環水路の裏面図
【図４】開口部近傍の断面図
【図５】従来の洗濯機の側断面図
【符号の説明】
【００２６】
１  洗濯槽
２  パルセータ
１１  案内壁部
１２  循環水路
１４  ポンプ室
２１  吐出口（開口部）
２２  送水壁
２３  第１の傾斜部
２４  ストレート部
【図１】
2005065999.tif 000003
【図２】
2005065999.tif 000004
【図３】
2005065999.tif 000005
【図４】
2005065999.tif 000006
【図５】
2005065999.tif 000007